(57)【特許請求の範囲】
【請求項１】
複数行の文字表示が可能な表示手段と、
所定の各選択項目の一覧を前記表示手段において表示し、その際、指示されている選択項目については他の選択項目から識別し得るように表示する表示制御手段とを備えた表示装置であって、
前記指示されている選択項目を構成する文字数をＬ、前記表示手段が１行において表示可能な文字数をＸ、所定の正の整数をＮとすれば、
Ｎ・Ｘ＜Ｌ≦（Ｎ＋１）Ｘであるとき、前記表示制御手段は、前記指示されている選択項目の表示を、Ｌの値に応じ、Ｎ行を用いて行方向にスクロールさせながら行い、又はＮ＋１行を用いてスクロールさせることなく行うものであることを特徴とする表示装置。
【請求項２】
Ｎ・Ｘ＋１＜Ｍ≦（Ｎ＋１）Ｘ−１を満たす所定の実数をＭとすれば、前記表示制御手段は、Ｎ・Ｘ＜Ｌ≦（Ｎ＋１）Ｘであるとき、前記指示されている選択項目の表示を、Ｌ＜ＭであればＮ行を用いて行方向にスクロールさせながら行い、Ｍ≦ＬであればＮ＋１行を用いてスクロールさせることなく行うものであることを特徴とする請求項１に記載の表示装置。
【請求項３】
前記表示制御手段は、（Ｎ＋１）Ｘ＜Ｌのとき、前記指示されている選択項目の表示を、Ｎ＋１行を用いて行方向にスクロールさせながら行うものであることを特徴とする請求項１又は２に記載の表示装置。
【請求項４】
前記表示制御手段は、前記行方向のスクロールを、前記指示されている選択項目の表示に用いる各行のうちの最後の行のみにおいて行うものであることを特徴とする請求項１〜３のいずれか１項に記載の表示装置。
【請求項５】
前記表示制御手段は、所定の指示に応じ、前記表示手段における選択項目の一覧の表示を、行方向に直行する方向へスクロールさせるものであることを特徴とする請求項１〜４のいずれか１項に記載の表示装置。
【請求項６】
コンテンツのファイルを記憶する記憶手段と、
請求項１〜５のいずれかの表示装置と、
前記記憶手段により記憶されている各ファイルに付随する付随情報に基づいて、各ファイルを選択するための選択項目の一覧を前記表示装置により表示する制御手段と、
前記制御手段により表示された選択項目の一覧におけるいずれかの選択項目を指示する指示手段と、
前記指示手段により指示されている選択項目の選択を受け入れる選択手段と、
前記選択手段により選択された選択項目に対応するファイルを再生する再生手段とを具備することを特徴とする再生装置。
【請求項７】
コンピュータを、請求項１〜５のいずれかの再生装置における表示制御手段として機能させることを特徴とするプログラム。
【請求項８】
複数行の文字表示が可能な表示手段と、
所定の各選択項目の一覧を前記表示手段において表示し、その際、指示されている選択項目については他の選択項目から識別し得るように表示する表示制御手段とを備えた表示装置における表示方法であって、
前記指示されている選択項目を構成する文字数をＬ、前記表示手段が１行において表示可能な文字数をＸ、所定の正の整数をＮとすれば、
Ｎ・Ｘ＜Ｌ≦（Ｎ＋１）Ｘであるとき、前記表示制御手段が、前記指示されている選択項目の表示を、Ｌの値に応じ、Ｎ行を用いて行方向にスクロールさせながら行い、又はＮ＋１行を用いてスクロールさせることなく行うことを特徴とする表示方法。
【発明の詳細な説明】
【技術分野】
【０００１】
本発明は、選択項目の一覧を表示する表示装置、該表示装置を備えた再生装置、該表示装置における表示制御手段としてコンピュータを機能させるプログラム、及び該表示装置における表示方法に関する。
【背景技術】
【０００２】
従来、マイクロソフト社のウィンドウズ（登録商標）メディアプレーヤや、アップル社のアイチューンズ等の転送ツールを用いてパソコンからディジタルオーディオプレーヤ（以下、「ＤＡＰ」という。）等へ音楽コンテンツを転送し、転送した音楽コンテンツをＤＡＰによって鑑賞することができるようにしたシステムが知られている。ＤＡＰへの音楽コンテンツの転送を行うに際し、ユーザは手持ちのＣＤ等の媒体からのリッピングにより又は外部回線を通じたダウンロードにより、転送したい音楽コンテンツを一度、ディジタル信号としてパソコンに保存する。そして、保存した音楽コンテンツを、上述の転送ツールや、ドラッグアンドドロップ操作を通じてパソコンからＤＡＰへ格納する。
【０００３】
ＤＡＰにおいて、格納されたコンテンツは、それに付随するアーティスト名、アルバム名、トラック名（曲名）、ジャンル名、年代等の付随情報に基づいて区分される。ユーザはＤＡＰに装備された表示部に表示される付随情報のリストから所望のコンテンツに対応するものを選択することにより、そのコンテンツを再生させることができる。その際、ユーザは、ＤＡＰ本体に装備された液晶や有機ＥＬによる表示モジュール上において表示される、コンテンツの付随情報を示すテキストにより、該付随情報を視覚的に認識することができる。
【０００４】
この場合、表示モジュールとして、面積の大きな表示部（画面）を有するものを装備することにより、一度に多くの情報を表示することができるので、ユーザによる付随情報の視認性を向上させることができる。また、表示するテキストのフォントサイズを小さくすることにより、面積の限られた画面において表示することができる情報の量を多くすることができる。さらに、面積の限られた画面内では表示できない文字列については、スクロール表示を行うことによって、ユーザに対し視覚的に認識させるという手法を用いることができる。
【０００５】
図６はＤＡＰのような再生装置における選択画面の従来例を示す。再生装置において再生を行う場合、ユーザは、再生したい楽曲コンテンツを選択する際に、同図のような階層的な選択画面を介して楽曲コンテンツの検索を行うことができる。同図においては、同図（ａ）のホーム画面において「アルバム」が選択され、これに応じて表示される同図（ｂ）のアルバム選択画面において「ＡＬＢＵＭ００３」が選択され、これに応じて表示される同図（ｃ）の楽曲タイトル選択画面において「ＭＵＳＩＣＴＩＴＬＥ・・・」が選択された場合の様子が示されている。つまりこの場合には、所望のアルバムを選択し、そのアルバム中の所望の楽曲タイトルを選択するという手順で楽曲タイトルの検索が行われている。
【０００６】
その際ユーザは、同図（ｃ）の楽曲コンテンツ選択画面において、１行毎に各楽曲コンテンツに付随する楽曲タイトル（トラック名）が表示されるので、上ボタン又は下ボタンの押下により、縦方向（行方向に直交する方向）にカーソルを移動させ、画面をスクロールさせながら、所望の楽曲タイトルを検索することができる。カーソル位置は、その位置における楽曲タイトルがハイライト表示されることによってわかるようになっている。同図（ｃ）においては、楽曲タイトル「ＭＵＳＩＣＴＩＴＬＥ・・・」がカーソルにより指示され、ハイライト表示されている。ハイライト表示される楽曲タイトルが１行で表示しきれない場合には、未表示部分が順次表示されるように、楽曲タイトルの表示が横方向（行方向）にスクロールされる場合もある（たとえば、特許文献１参照）。ユーザは、上下ボタンの操作により再生したい楽曲の楽曲タイトルをハイライト表示させてから、選択ボタンを押下することによって、その楽曲についての再生等を行うことができる。
【０００７】
【特許文献１】特開平１０−３１２２６４号公報
【発明の開示】
【発明が解決しようとする課題】
【０００８】
ＤＡＰのような携帯可能で小型の再生装置の場合には、表示部も小型のものが搭載されている。そのような小型の表示部においては、１行に１０文字程度しか表示できない場合が多い。このような場合、１つの楽曲タイトルの全部を１行において表示することができない。これを回避するために、表示面積の大きな表示モジュールを搭載すると、ＤＡＰ本体の面積が増加し、携帯性を損なうことになる。また、フォントサイズを小さくすると、視認性を劣化させることになる。
【０００９】
また、楽曲タイトルの選択等の場合、１行で表示しきれない文字列をハイライト表示の対象とし、横方向にスクロールさせると、スクロールによって当該文字列が全部表示されるまでに要する時間よりも短い時間で、ユーザ指示に基づく縦方向スクロールによって、次の楽曲タイトルがハイライト表示される場合が多い。その場合、ユーザは当該文字列については最後の部分まで確認することができない。たとえば、「××××ＤＩＳＣ１」及び「××××ＤＩＳＣ２」のように、文字列の最後の部分にユーザがその文字列の内容を認識するための重要な部分が存在する場合、ユーザは実質的にその文字列の内容を認識することができないことになる。
【００１０】
本発明の目的は、このような従来技術の問題点に鑑み、選択項目の一覧を表示する表示装置において、ハイライト表示される選択項目を構成する文字列の視認性を向上させることにある。
【課題を解決するための手段】
【００１１】
この目的を達成するため、第１の発明に係る表示装置は、複数行の文字表示が可能な表示手段と、所定の各選択項目の一覧を、前記表示手段において表示し、その際、指示されている選択項目については他の選択項目から識別し得るように表示する表示制御手段とを備えた表示装置であって、前記指示されている選択項目を構成する文字数をＬ、前記表示手段が１行において表示可能な文字数をＸ、所定の正の整数をＮとすれば、Ｎ・Ｘ＜Ｌ≦（Ｎ＋１）Ｘであるとき、前記表示制御手段は、前記指示されている選択項目の表示を、Ｌの値に応じ、Ｎ行を用いて行方向にスクロールさせながら行い、又はＮ＋１行を用いてスクロールさせることなく行うものであることを特徴とする。
【００１２】
この構成において、たとえば、１行において表示可能な文字数Ｘを１０、所定の正の整数Ｎを１とすれば、指示されている選択項目を構成する文字数Ｌが１１、１２、・・・、又は２０のとき、Ｎ・Ｘ＜Ｌ≦（Ｎ＋１）Ｘを満たす。この場合、たとえば、指示されている選択項目を構成する文字数Ｌが１１〜１５であれば、行方向にスクロールさせても、スクロールが終了するまでそれほど時間を要しないため、指示されている選択項目の表示は、１行を用い、スクロールさせながら行われる。一方、指示されている選択項目を構成する文字数Ｌが１６〜２０の場合には、行方向にスクロールさせると、スクロールが終了するまでに比較的長時間を要し、その間に、行方向に直行する方向へのスクロールがなされ、指示されている選択項目が変化するおそれがあるので、指示されている選択項目の表示は、２行を用い、スクロールさせることなく行われる。
【００１３】
第２の発明に係る表示装置は、第１発明において、Ｎ・Ｘ＋１＜Ｍ≦（Ｎ＋１）Ｘ−１を満たす所定の実数をＭとすれば、前記表示制御手段は、Ｎ・Ｘ＜Ｌ≦（Ｎ＋１）Ｘであるとき、前記指示されている選択項目の表示を、Ｌ＜ＭであればＮ行を用いて行方向にスクロールさせながら行い、Ｍ≦ＬであればＮ＋１行を用いてスクロールさせることなく行うものであることを特徴とする。
【００１４】
第３の発明に係る表示装置は、第１又は第２発明において、前記表示制御手段は、（Ｎ＋１）Ｘ＜Ｌのとき、前記指示されている選択項目の表示を、Ｎ＋１行を用いて行方向にスクロールさせながら行うものであることを特徴とする。
【００１５】
第４の発明に係る表示装置は、第１〜第３のいずれかの発明において、前記表示制御手段は、前記行方向のスクロールを、前記指示されている選択項目の表示に用いる各行のうちの最後の行のみにおいて行うものであることを特徴とする。
【００１６】
第５の発明に係る表示装置は、第１〜第４のいずれかの発明において、前記表示制御手段は、所定の指示に応じ、前記表示手段における選択項目の一覧の表示を、行方向に直行する方向へスクロールさせるものであることを特徴とする。
【００１７】
第６の発明に係る再生装置は、コンテンツのファイルを記憶する記憶手段と、第１〜第５のいずれかの発明に係る表示装置と、前記記憶手段により記憶されている各ファイルに付随する付随情報に基づいて、各ファイルを選択するための選択項目の一覧を前記表示装置により表示する制御手段と、前記制御手段により表示された選択項目の一覧におけるいずれかの選択項目を指示する指示手段と、前記指示手段により指示されている選択項目の選択を受け入れる選択手段と、前記選択手段により選択された選択項目に対応するファイルを再生する再生手段とを具備することを特徴とする。
【００１８】
第７の発明に係るプログラムは、コンピュータを、第１〜第５のいずれかの発明に係る再生装置における表示制御手段として機能させることを特徴とする。
【００１９】
第８の発明に係る表示方法は、複数行の文字表示が可能な表示手段と、所定の各選択項目の一覧を、前記表示手段において表示し、その際、指示されている選択項目については他の選択項目から識別し得るように表示する表示制御手段とを備えた表示装置における表示方法であって、前記指示されている選択項目を構成する文字数をＬ、前記表示手段が１行において表示可能な文字数をＸ、所定の正の整数をＮとすれば、Ｎ・Ｘ＜Ｌ≦（Ｎ＋１）Ｘであるとき、前記表示制御手段が、前記指示されている選択項目の表示を、Ｌの値に応じ、Ｎ行を用いて行方向にスクロールさせながら行い、又はＮ＋１行を用いてスクロールさせることなく行うことを特徴とする。
【発明の効果】
【００２０】
本発明によれば、１行で表示可能な文字数を超えた文字列を、表示に適切な行数及びスクロールを用いて短時間で視認可能に表示することができる。
【発明を実施するための最良の形態】
【００２１】
図１は本発明の一実施形態に係るオーディオ再生装置の構成を示すブロック図である。同図に示すように、この装置は、装置各部の制御や必要な情報処理を行うシステムマイコン１１、楽曲コンテンツのファイルを記憶する記憶部１２、システムマイコンン１１からの指示により記憶部１２から指示されたファイルを読み出し、デコード等の信号処理を施すデジタル・シグナル・プロセッサ（以下、「ＤＳＰ」という。）１３、ＤＳＰ１３からのデジタルオーディオ信号をアナログ信号に変換するＤＡコンバータ１４、ＤＡコンバータ１４からのアナログオーディオ信号を増幅する増幅部１５、増幅部１５において増幅されたオーディオ信号をスピーカ等に出力する出力部１６、システムマイコン１１に対して指示を与える操作を行うための操作部１７、及びシステムマイコン１１がユーザに対して提示する情報を表示する表示部１８を備える。
【００２２】
記憶部１２はハードディスクやフラッシュメモリ等の読書き可能な大容量記憶デバイスにより構成される。出力部１６はスピーカやヘッドホンその他の外部への出力を行うための端子等により構成される。記憶部１２にはＷＭＡやＭＰ３形式の楽曲ファイルが記憶される。各楽曲ファイルには、メタデータとして、その楽曲ファイルが属するアルバム、ジャンル、アーティスト等の属性情報が付随しており、これを利用して所望の楽曲ファイルの検索が行われる。
【００２３】
図２は図１のオーディオ再生装置の外観を示す。表示部１８及び操作部１７の外観に係る部分が示されている。操作部１７は電源のオン・オフ等を行うための電源ボタン２１、出力音量を調整するためのボリュームボタン２２、及び画面のスクロールや選択を行うためのマルチコントロールボタン２３を備える。表示部１８上には、ユーザが選択可能な選択項目の一覧が表示される。
【００２４】
選択項目の選択に際しては、所望の選択項目がカーソルにより指示される。マルチコントロールボタン２３はカーソルを移動させるための上ボタン及び下ボタンや、指示された選択項目を選択するための選択ボタン等を備える。カーソルによって指示された選択項目はハイライト表示される。つまり、ハイライト表示がカーソルとなっている。上ボタン又は下ボタンが押下されると、システムマイコン１１はカーソルを、選択項目の一覧上を上又は下方向（行方向に直交する方向）に移動させる。その際、必要に応じて一覧を上下方向にスクロールさせることにより、選択項目数が表示部１８における表示可能な数より多い場合でも、任意の選択項目に対するカーソルの位置づけを行うことを可能にしている。
【００２５】
ユーザは、上ボタン又は下ボタンを押下すると、指示される選択項目が一覧中の上又は下の選択項目に順次切り替わってゆくので、所望の選択項目がハイライト表示されたところで上ボタン又は下ボタンの操作を停止し、選択ボタンを押下するによって、ハイライト表示された選択項目を選択することができる。
【００２６】
図３は表示部１８における選択画面の一例を示す。同図（ａ）〜（ｄ）の各選択画においては選択項目の一覧が表示されている。電源ボタン２１が押下されると同図（ａ）のホーム画面が表示される。この選択画面においては「アーティスト」、「アルバム」、「ジャンル」、「プレイリスト」、及び「フォルダ」が選択項目として表示されている。所望の選択項目を選択することにより、所望の方法で、再生したい楽曲コンテンツの検索を開始することができる。
【００２７】
たとえば「アーティスト」を選択することにより、アーティスト選択画面を表示させ、アーティスト名の検索から検索を開始することができる。さらに所望のアーティスト名を選択することによって、そのアーティストに属するアルバム名を選択項目として表示するアルバム選択画面を表示させ、所望のアルバムを選択することができる。このようにして「アーティスト」→「アルバム」→「楽曲タイトル」のように、所望の楽曲を階層的に検索し、再生させることができる。なお、同図（ａ）においては、「アルバム」がハイライト表示されている様子が示されている。この状態において選択ボタンが押下されると、「アルバム」が選択されることになる。
【００２８】
同図（ｂ）は同図（ａ）のホーム画面において「アルバム」が選択された場合に表示されるアルバム選択画面の一例を示す。この画面においては、記憶部１２に記憶されている各楽曲ファイルに属性情報として付随するアルバム名を選択項目として一覧表示したアルバム一覧が表示される。一覧中のいずれかのアルバム名が選択されると、そのアルバム名が付随する各楽曲ファイルの楽曲タイトルを選択項目として一覧表示する楽曲タイトル選択画面が表示される。
【００２９】
同図（ｃ）は同図（ｂ）のアルバム選択画面において、「ＡＬＢＵＭ００３」が選択された場合に表示される楽曲タイトル選択画面を示す。この画面では、「ＭＵＳＩＣＴＩＴＬＥあいうえおかきくけこさしすせそ．ＭＰ３」という２９文字で構成された楽曲タイトルがハイライト表示されている様子が示されている。ハイライト表示される楽曲タイトルは、それを構成する文字数が、表示部１８において１行で表示することができる文字数よりも多い場合には、次のような論理によって、複数行を使用し、必要に応じて横方向のスクロール表示を併用しながら表示される。
【００３０】
すなわち、ハイライト表示される楽曲タイトルを構成する文字数をＬ、表示部１８において１行で表示可能な文字数をＸ、１から所定の整数ｎまでの１つずつ増加するｎ個の整数をＮｉ（Ｎ１＝１、Ｎ２＝２、・・・、Ｎｎ＝ｎ）、Ｎｉ・Ｘ＋１＜Ｍｉ≦（Ｎｉ＋１）Ｘ−１を満たす所定の実数をＭｉ（ｉはＮｉにおけるｉに対応するインデックス）とする。そして、いずれかのＮｉ（ｉ＝１〜ｎ）についてＮｉ・Ｘ＜Ｌ≦（Ｎｉ＋１）・Ｘが成立する場合、そのＮｉをＮｋ、そのＮｉに対応するＭｉをＭｋとすれば、Ｌ＜ＭｋであればＮｋ行を用い、かつスクロールを併用して該楽曲タイトルの表示を行い、Ｍｋ≦ＬであればＮｋ＋１行を用い、スクロールさせることなく、該楽曲タイトルの表示を行う。また、（Ｎｎ＋１）・Ｘ＜Ｌが成立する場合には、Ｎｎ＋１行を用い、かつスクロールを併用して表示を行う。１≦Ｌ≦Ｘの場合は１行を用い、スクロールさせることなく表示を行う。
【００３１】
たとえば、ｎ＝１、Ｘ＝１０、Ｍｉ＝Ｎｉ・Ｘ＋６の場合、ハイライト表示される楽曲タイトルは、それを構成する文字数Ｌに応じて、次表のように表示される。
【表１】
0005136115.tif 000002
【００３２】
すなわち、１≦Ｌ≦１０のとき、１≦Ｌ≦Ｘであるため、１行を用い、スクロールさせることなく固定して楽曲タイトルの表示が行われる。１０＜Ｌ＜１６のとき、Ｎｉ＝１についてＮｉ・Ｘ＜Ｌ≦（Ｎｉ＋１）・Ｘが成立するので、Ｎｋ＝Ｎ１（＝１）、Ｍｋ＝１６となり、Ｌ＜Ｍｋであるため、Ｎｋ（＝１）行を用い、かつスクロールを併用して楽曲タイトルの表示が行われる。１６≦Ｌ≦２０のときには、同様にＮｉ＝１について、Ｎｉ・Ｘ＜Ｌ≦（Ｎｉ＋１）・Ｘが成立し、Ｎｋ＝Ｎ１（＝１）、Ｍｋ＝１６となるが、Ｍｋ≦Ｌであるため、Ｎｋ＋１（＝２）行を用い、スクロールさせることなく固定して楽曲タイトルの表示が行われる。２０＜Ｌのとき、（Ｎｎ＋１）・Ｘ＜Ｌが成立するので、Ｎｎ＋１（＝２）行を用い、かつスクロールを併用して表示が行われる。
【００３３】
また、ｎ＝２、Ｘ＝１０、Ｍｉ＝Ｎｉ・Ｘ＋６の場合、ハイライト表示される楽曲タイトルは、同様にして、それを構成する文字数Ｌに応じ、次表のように表示される。
【表２】
0005136115.tif 000003
【００３４】
図３に戻り、同図（ｃ）の場合には、ｎ＝１、Ｘ＝１０、Ｍｉ＝Ｎｉ・Ｘ＋６とされており、Ｌ＝２９であるため、（Ｎｎ＋１）・Ｘ＜Ｌが成立するので、ハイライト表示されている楽曲タイトルは、Ｎｎ＋１（＝２）行を用い、かつスクロールを併用して表示が行われる。同図（ｄ）においては、この表示におけるスクロール途中の一態様が示されている。同図（ｃ）及び（ｄ）から分かるように、このスクロールは、当該楽曲タイトルの表示に使用する２行のうちの１行目の後端が２行目の先端に接続しているような感じで、２行とも用いて行われる。すなわち、各行においては各文字は順次前方に送られ、前端まで来ると、１行目の場合を除き、次の瞬間には１つ前の行の後端に送られ、再度その行において順次前方に送られてゆくといった手順でスクロールが行われる。
【００３５】
図４は表示部１８における選択画面の別の例を示す。同図（ａ）〜（ｃ）は、図３（ａ）〜（ｃ）と同じ画面であり、図４（ｃ）の画面において楽曲タイトル「ＭＵＳＩＣＴＩＴＬＥあいうえおかきくけこさしすせそ．ＭＰ３」が指示されると、図３の場合と同様にして、その楽曲タイトルをハイライト表示するために使用する行数及びスクロール表示の有無が決定される。したがって、この場合も、スクロール表示が行われることになるが、スクロールの方法が図３の場合とは異なる。
【００３６】
すなわちこの場合、スクロールは、ハイライト表示に使用する最後の行、すなわち２行目のみにおいて行われる。図４（ｄ）では、スクロール途中の一態様が示されている。同図（ｃ）及び（ｄ）からわかるように、ハイライト表示されたタイトルにおける１行目の表示は変化することはないが、２行目の表示がスクロールされる。
【００３７】
図５はシステムマイコン１１による処理の一部を示すフローチャートである。この処理は、指示された選択項目をハイライト表示するときのものである。すなわち、ステップ５１において、指示された選択項目を構成する文字数Ｌを取得する。次に、ステップ５２において、表示部１８において１行で表示可能な文字数をＸ、１から所定の整数ｎまでの１つずつ増加するｎ個の整数をＮｉ、Ｎｉ・Ｘ＋１＜Ｍｉ＜（Ｎｉ＋１）Ｘ−１を満たす所定の実数をＭｉ（ｉはＮｉにおけるｉに対応するインデックス）とすれば、いずれかのＮｉ（ｉ＝１〜ｎ）について、Ｎｉ・Ｘ＜Ｌ≦（Ｎｉ＋１）・Ｘが成立するか否かを判定する。
【００３８】
成立すると判定した場合にはステップ５３へ進み、そのＮｉ（すなわちＮｋ）に対応するＭｉ（すなわちＭｋ）についてＬ＜Ｍｋが成立するか否かを判定する。成立すると判定した場合にはステップ５４へ進み、Ｎｋ行を用い、かつスクロールを併用して当該選択項目の表示を開始し、図５の処理を終了する。なお、スクロール表示は、上述図３（ｄ）の場合のようにＮｋ行すべてを用いて、又は図４（ｄ）の場合のようにＮｋ行のうちの最後の行のみをスクロールさせることにより行われる。スクロールが進行し、選択項目を構成する最後の文字を表示したとき、それ以上のスクロールは不要であるため、スクロールは停止される。又はスクロールを最初から繰り返すようにしてもよい。
【００３９】
ステップ５３においてＬ＜Ｍｋが成立しないと判定した場合には、Ｍｋ≦Ｌが成立するので、ステップ５５へ進み、Ｎｋ＋１行を用い、スクロールさせることなく、当該選択項目の表示を行い、図５の処理を終了する。
【００４０】
ステップ５２においていずれのＮｉ（ｉ＝１〜ｎ）についてもＮｉ・Ｘ＜Ｌ≦（Ｎｉ＋１）・Ｘが成立しないと判定した場合には、ステップ５６へ進み、（Ｎｎ＋１）・Ｘ＜Ｌが成立するか否かを判定する。成立すると判定した場合には、ステップ５７へ進み、Ｎｎ＋１行を用い、かつスクロールを併用して当該選択項目の表示を開始し、図５の処理を終了する。スクロール表示は、ステップ５４において開始されたスクロール表示の場合と同様にして行われる。ステップ５６において（Ｎｎ＋１）・Ｘ＜Ｌが成立しないと判定した場合には、１≦Ｌ≦Ｘが成立するので、ステップ５８へ進み、１行を用い、スクロールさせることなく当該選択項目の表示を行い、図５の処理を終了する。
【００４１】
本実施形態によれば、いずれかのＮｉ（ｉ＝１〜ｎ）についてＮｉ・Ｘ＜Ｌ≦（Ｎｉ＋１）・Ｘが成立する場合、そのＮｉをＮｋとすれば、その楽曲タイトルの表示を、それを構成する文字数Ｌの値に応じ、Ｎｋ行を用いて行方向にスクロールさせながら行い、又はＮｋ＋１行を用いてスクロールさせることなく行うようにしたため、当該楽曲タイトルの視認に支障がない限りにおいてスクロール表示を併用することにより使用行数を節約しながら、当該楽曲タイトルの視認性を向上させることができる。
【００４２】
なお、本発明は上述実施形態に限定されることなく、適宜変形して実施することができる。たとえば、上述においては、オーディオ再生装置の場合について説明したが、本発明はこれに限定されることなく、広く、選択項目の一覧を表示し、指示された選択項目を構成する文字を表示する場合に適用することができる。
【図面の簡単な説明】
【００４３】
【図１】本発明の一実施形態に係るオーディオ再生装置の構成を示すブロック図である。
【図２】図１のオーディオ再生装置の外観を示す図である。
【図３】図１の装置の表示部における選択画面の一例を示す図である。
【図４】図１の装置の表示部における選択画面の別の例を示す図である。
【図５】図１の装置のシステムマイコンによる処理の一部を示すフローチャートである。
【図６】再生装置における選択画面の従来例を示す図である。
【符号の説明】
【００４４】
１１：システムマイコン、１２：記憶部、１３：ＤＳＰ、１４：ＤＡコンバータ、１５：増幅部、１６：出力部、１７：操作部、１８：表示部、２１：電源ボタン、２２：ボリュームボタン、２３：マルチコントロールボタン。
【図１】
0005136115.tif 000004
【図２】
0005136115.tif 000005
【図３】
0005136115.tif 000006
【図４】
0005136115.tif 000007
【図５】
0005136115.tif 000008
【図６】
0005136115.tif 000009